(57)【要約】【課題】海外所在のオンラインサイトからコンテンツまたは商品を購入して決済の際、クレジットカード番号を入力することなく携帯電話で簡単かつ安全に決済が出来る決済方法及び決済システムを提供する。【解決手段】特許文献１に提案されている技術を実現したカメラ付き携帯電話５０を備え、買主はクライアント端末３０を用いて海外売主サーバ１０にアクセスし、商品を購入後決済の際、買主は携帯電話５０を用いて表示装置４０から２次元コード画像を読取り操作のみでキャリア決済サーバ２０に自動アクセスと、携帯電話５０で外貨請求額と為替レートと決済額の内容が含まれている為替確認画面を確認し、決済実行を決定し、決済が成功したら、キャリア決済サーバ２０は海外キャリア決済サーバ６０に決済の代金を送金する海外キャリア精算処理を行い、また、海外キャリア決済サーバ６０では海外売主サーバ１０に決済の代金を送信する加盟店精算処理を行う。【選択図】図１
2011145727.tif 000002
【特許請求の範囲】
【請求項１】
海外キャリア決済サーバと海外売主サーバと買主が携帯端末を加入したキャリア決済サーバでは特許文献２の発明の決済システムを備え、クライアント端末からインターネットを介して海外売主サーバと、また携帯端末から携帯網ネットワークを介してキャリア決済サーバと、海外売主サーバと海外キャリア決済サーバとキャリア決済サーバはインターネットを介して通信可能に構成され、携帯端末を用いた海外サイトの決済システムにあって、前記キャリア決済サーバは、Ｗｅｂサービスを行うＷｅｂサーバとデータベースを備え、前記キャリア決済サーバのデータベースは少なくとも海外提携キャリア情報テーブル、加入者海外決済情報テーブルを備え、携帯端末からのアクセスに基づいてパラメータデータを抽出するパラメータ抽出手段と、パラメータデータの発行者情報から海外キャリアＩＤを特定する値をキーに前記海外提携キャリア情報テーブルを照合して海外キャリア決済サーバＵＲＬを取得する海外キャリアＵＲＬ取得手段と、外貨請求額から為替レートを適用して決済額を求める決済額取得手段と、少なくとも外貨請求額と為替レートと決済額の内容が含まれている為替確認画面作成し、アクセス元である携帯端末に送信する為替確認画面送信手段と、前記携帯端末から為替確認の応答を受信してＯＫ応答であれば、海外決済ＩＤを発行し、定まれたロールに従って決済を行う決済処理手段と、海外決済内容を加入者海外決済情報テーブルに登録する加入者海外決済情報登録手段と、前記ＵＲＬ取得手段により取得した海外キャリア決済サーバＵＲＬ宛に少なくとも前記海外決済ＩＤ、海外請求額、海外加盟店ＩＤをパラメータデータに付けて送信する海外売主サーバＵＲＬ取得手段と、前記海外売主サーバＵＲＬ宛に決済処理が正常であることを送信する売主宛通知手段と、前記海外売主サーバから処理結果を受信したら、決済処理結果画面を作成し携帯端末に処理結果を通知する携帯端末通知手段と、定まれたロールに従って海外通貨の精算処理を行う海外キャリア精算手段を機能させるプログラムがインストールされているキャリア決済サーバを含むことを特徴とする携帯端末を用いた海外サイトの決済システム。
【請求項２】
海外キャリア決済サーバと海外売主サーバと買主が携帯端末を加入したキャリア決済サーバでは特許文献２の発明の決済システムを備え、クライアント端末からインターネットを介して海外売主サーバと、また携帯端末から携帯網ネットワークを介してキャリア決済サーバと、海外売主サーバと海外キャリア決済サーバとキャリア決済サーバはインターネットを介して通信可能に構成され、携帯端末を用いた海外サイトの決済方法にあって、前記キャリア決済サーバは、Ｗｅｂサービスを行うＷｅｂサーバとデータベースを備え、前記キャリア決済サーバのデータベースは少なくとも海外提携キャリア情報テーブル、加入者海外決済情報テーブルを備え、携帯端末からのアクセスに基づいてパラメータデータを抽出するパラメータ抽出ステップと、パラメータデータの発行者情報から海外キャリアＩＤを特定する値をキーに前記海外提携キャリア情報テーブルを照合して海外キャリア決済サーバＵＲＬを取得する海外キャリアＵＲＬ取得ステップと、外貨請求額から為替レートを適用して決済額を求める決済額取得ステップと、少なくとも外貨請求額と為替レートと決済額の内容が含まれている為替確認画面作成し、アクセス元である携帯端末に送信する為替確認画面送信ステップと、前記携帯端末から為替確認の応答を受信してＯＫ応答であれば、海外決済ＩＤを発行し、定まれたロールに従って決済を行う決済処理ステップと、海外決済内容を加入者海外決済情報テーブルに登録する加入者海外決済情報登録ステップと、前記ＵＲＬ取得手段により取得した海外キャリア決済サーバＵＲＬ宛に少なくとも前記海外決済ＩＤ、海外請求額、海外加盟店ＩＤをパラメータデータに付けて送信する海外売主サーバＵＲＬ取得ステップと、前記海外売主サーバＵＲＬ宛に決済処理が正常であることを送信する売主宛通知ステップと、前記海外売主サーバから処理結果を受信したら、決済処理結果画面を作成し携帯端末に処理結果を通知する携帯端末通知ステップと、定まれたロールに従って海外通貨の精算処理を行う海外キャリア精算ステップを機能させるプログラムがインストールされているキャリア決済サーバを含むことを特徴とする携帯端末を用いた海外サイトの決済方法。
【請求項３】
請求項１記載の海外キャリア精算手段において、海外所在の売主である加盟店の精算口座に送金を行う海外キャリアが持っている精算口座に買主が携帯端末を加入したキャリアから送金する処理で、買主が行った海外決済完了情報がある前記加入者海外決済情報テーブルから海外精算されてないデータを抽出するステップと、パラメータデータの発行者情報から特定できる海外キャリアＩＤをキーに前記海外提携キャリア情報テーブルを照合し、海外提携キャリアの精算口座番号を取得し、外貨送信モジュールを呼び、キャリア口座から海外提携キャリアの精算口座に送金を行い、送金が正常終了したら、精算した海外決済ＩＤと外貨請求額を前記海外キャリア決済サーバＵＲＬ宛に送信する海外キャリア宛入金通知ステップと、加入者海外決済情報テーブルの海外精算日を更新する加入者海外決済情報更新手段を機能させるプログラムがインストールされているキャリア決済サーバを含むことを特徴とする携帯端末を用いた海外サイトの決済システム。
【請求項４】
海外キャリア決済サーバと海外売主サーバと買主が携帯端末を加入したキャリア決済サーバでは特許文献２の発明の決済システムを備え、クライアント端末からインターネットを介して海外売主サーバと、また携帯端末から携帯網ネットワークを介してキャリア決済サーバと、海外売主サーバと海外キャリア決済サーバとキャリア決済サーバはインターネットを介して通信可能に構成され、携帯端末を用いた海外サイトの決済システムにあって、前記海外キャリア決済サーバは、Ｗｅｂサービスを行うＷｅｂサーバとデータベースを備え、前記海外キャリア決済サーバのデータベースは少なくとも海外提携キャリア情報テーブル、加盟店情報テーブル、海外決済入金情報テーブルを備え、キャリア決済サーバからの海外売主サーバＵＲＬを要求するアクセスに基づいてリクエストのヘッダ情報からアクセス元のアドレス情報を取得し、取得した前記アクセス元のアドレス情報をキーに前記海外提携キャリア情報テーブルを照合して海外キャリアＩＤの取得と、パラメータデータから海外決済ＩＤ、加盟店ＩＤ、決済額を抽出する抽出手段と、前記抽出手段により抽出した値と前記海外キャリアＩＤで海外決済入金情報テーブルに新規登録する海外決済入金情報登録手段と、前記加盟店ＩＤをキーに加盟店情報テーブルを照合して加盟店の売主サーバＵＲＬを取得し、取得したＵＲＬをアクセス元に応答するＵＲＬ応答手段と、キャリア決済サーバから海外決済入金情報通知のアクセスに基づいて、受信した海外決済ＩＤと決済額をキーにして海外決済入金情報テーブルを照合し、ヒットしたら、入金日を更新する海外決済入金情報更新手段と、定まれたロールに従って加盟店の精算処理を行う加盟店精算処理手段を機能させるプログラムがインストールされている海外キャリア決済サーバを含むことを特徴とする携帯端末を用いた海外サイトの決済システム。
【請求項５】
海外キャリア決済サーバと海外売主サーバと買主が携帯端末を加入したキャリア決済サーバでは特許文献２の発明の決済システムを備え、クライアント端末からインターネットを介して海外売主サーバと、また携帯端末から携帯網ネットワークを介してキャリア決済サーバと、海外売主サーバと海外キャリア決済サーバとキャリア決済サーバはインターネットを介して通信可能に構成され、携帯端末を用いた海外サイトの決済方法にあって、前記海外キャリア決済サーバは、Ｗｅｂサービスを行うＷｅｂサーバとデータベースを備え、前記海外キャリア決済サーバのデータベースは少なくとも海外提携キャリア情報テーブル、加盟店情報テーブル、海外決済入金情報テーブルを備え、キャリア決済サーバからの海外売主サーバＵＲＬを要求するアクセスに基づいてリクエストのヘッダ情報からアクセス元のアドレス情報を取得し、取得した前記アクセス元のアドレス情報をキーに前記海外提携キャリア情報テーブルを照合して海外キャリアＩＤの取得と、パラメータデータから海外決済ＩＤ、加盟店ＩＤ、決済額を抽出する抽出ステップと、前記抽出ステップにより抽出した値と前記海外キャリアＩＤで海外決済入金情報テーブルに新規登録する海外決済入金情報登録ステップと、前記加盟店ＩＤをキーに加盟店情報テーブルを照合して加盟店の売主サーバＵＲＬを取得し、取得したＵＲＬをアクセス元に応答するＵＲＬ応答ステップと、キャリア決済サーバから海外決済入金情報通知のアクセスに基づいて、受信した海外決済ＩＤと決済額をキーにして海外決済入金情報テーブルを照合し、ヒットしたら、入金日を更新する海外決済入金情報更新ステップと、定まれたロールに従って加盟店の精算処理を行う加盟店精算処理ステップを機能させるプログラムがインストールされている海外キャリア決済サーバを含むことを特徴とする携帯端末を用いた海外サイトの決済方法。
【請求項６】
請求項4記載の加盟店精算処理手段において、加盟店の精算口座に送金を行う処理であって、海外決済入金情報がある海外決済入金情報テーブルから加盟店に対して精算されてないデータを抽出するステップと、抽出したデータから加盟店ＩＤをキーに前記加盟店情報テーブルを照合し、加盟店の精算口座番号を取得し、キャリアの与信処理機能と連携した与信連携インタフェースモジュールを呼び、キャリア口座から加盟店の精算口座に送金を行い、送金が正常終了したら、海外決済入金情報テーブルの加盟店精算日を更新する加盟店精算情報更新手段を機能させるプログラムがインストールされている海外キャリア決済サーバを含むことを特徴とする携帯端末を用いた海外サイトの決済システム。
【発明の詳細な説明】
【技術分野】
【０００１】
本発明は、携帯端末を用いた海外サイトの決済方法、決済システムに関するものであり、海外所在のオンラインサイトからコンテンツまたは商品を購入して決済の際、クレジットカード番号を入力することなく携帯端末で簡単かつ安全に決済が出来る決済方法及び決済システムに関する。
【背景技術】
【０００２】
２次元バーコードリーダ機能が付いたカメラ付き携帯端末が普及され、携帯端末でインターネットにアクセスする際に携帯端末の入力装置でアクセス先のＵＲＬを入力することなくアクセス先のＵＲＬがある２次元バーコードを撮像して簡単にアクセスすることが可能である。
【０００３】
また、定められたフォーマットの２次元バーコードを２次元バーコードリーダ機能が付いたカメラ付き携帯端末で撮像したらフォーマットに関連付けられたＵＲＬに自動アクセスする技術が特許文献１に提案されている。
【０００４】
また、特許文献２には携帯端末を用いたプリペイド及びポストペイド決済システム,小額振替方法、ポイントサービスシステム、エスクローサービスシステム技術が提案されている。
【０００５】
【特許文献１】特願2010-2202
【特許文献２】特願2010-3470
【発明の開示】
【発明が解決しようとする課題】
【０００６】
海外所在のオンラインサイトからコンテンツまたは商品を購入して決済の際、クレジットカード番号を入力することなく携帯端末で簡単かつ安全に決済が出来る決済方法及び決済システムに関する。
【０００７】
特許文献２の発明では、携帯端末を加入したキャリアと加盟店契約が締結されてない海外所在の売主サーバの場合、携帯端末を用いた決済は出来なくなる問題点がある。
【０００８】
本発明の目的は、携帯端末を加入したキャリアと加盟店契約が締結されてない海外所在のオンラインサイトからコンテンツまたは商品を購入して決済の際、クレジットカード番号を入力することなく携帯端末で簡単かつ安全に決済が出来る決済方法及び決済システムを提供する。
【課題を解決するための手段】
【０００９】
携帯端末というのは特許文献１に提案されている技術を実現した２次元バーコードリーダ機能が付いたカメラ付き携帯端末であって、定められたフォーマットの２次元コードを撮像したら定まれたフォーマットに関連付けられたＵＲＬに自動アクセスする移動通信端末であって、周知の携帯電話、スマートフォン、ＰＤＡ、ＰＨＳである。
【００１０】
前記定まれたフォーマットにはヘッダ部とデータ部があり、前記ヘッダ部には少なくともインターネットサイトを特定する識別コードを備えて、前記データ部には少なくともデータの発行者がわかる発行者情報、一回性のユニークなトークン、処理区分、データとを備えることを特徴とする。
【００１１】
前記携帯端末は定まれたフォーマットに関連付けられたＵＲＬに自動アクセスする際には前記データ部の内容を、送信パラメータに設定し、さらに携帯端末の加入者情報を送信パラメータに設定して送信することを特徴とする。
【００１２】
買主というのはインターネットを介したオンラインサイト及びモバイルコマースで代価を支払ってから物品、コンテンツ受ける側である。
【００１３】
売主というのはインターネットを介したオンラインサイト及びモバイルコマースで代価をもらってから物品、コンテンツを提供する側である。
【００１４】
クライアント端末というのはインターネットを介して売主サーバと通信が出来る端末で周知のパソコンである。
【００１５】
キャリアというのは移動通信サービス事業者で買主が携帯端末を加入する際にクレジットカードまたは銀行口座を連携した課金契約を締結し、売主側が決済代行サービスの申込により審査を行い、審査条件をクリアしたら売主と加盟店契約を締結し、決済代行サービス、ポイントサービス、エスクローサービスを提供する側である。
【００１６】
上記の目的を達成するために、海外キャリア決済サーバと海外売主サーバと買主が携帯端末を加入したキャリア決済サーバでは特許文献２の発明の決済システムを備え、クライアント端末からインターネットを介して海外売主サーバと、また携帯端末から携帯網ネットワークを介してキャリア決済サーバと、海外売主サーバと海外キャリア決済サーバとキャリア決済サーバはインターネットを介して通信可能に構成され、携帯端末を用いた海外サイトの決済方法、決済システムにあって、前記キャリア決済サーバは、Ｗｅｂサービスを行うＷｅｂサーバとデータベースを備え、前記キャリア決済サーバのデータベースは少なくとも海外提携キャリア情報テーブル、加入者海外決済情報テーブルを備え、携帯端末からのアクセスに基づいてパラメータデータを抽出するパラメータ抽出手段と、パラメータデータの発行者情報から海外キャリアＩＤを特定する値をキーに前記海外提携キャリア情報テーブルを照合して海外キャリア決済サーバＵＲＬを取得する海外キャリアＵＲＬ取得手段と、外貨請求額から為替レートを適用して決済額を求める決済額取得手段と、少なくとも外貨請求額と為替レートと決済額の内容が含まれている為替確認画面作成し、アクセス元である携帯端末に送信する為替確認画面送信手段と、前記携帯端末から為替確認の応答を受信してＯＫ応答であれば、海外決済ＩＤを発行し、定まれたロールに従って決済を行う決済処理手段と、海外決済内容を加入者海外決済情報テーブルに登録する加入者海外決済情報登録手段と、前記ＵＲＬ取得手段により取得した海外キャリア決済サーバＵＲＬ宛に少なくとも前記海外決済ＩＤ、海外請求額、海外加盟店ＩＤをパラメータデータに付けて送信する海外売主サーバＵＲＬ取得手段と、前記海外売主サーバＵＲＬ宛に決済処理が正常であることを送信する売主宛通知手段と、前記海外売主サーバから処理結果を受信したら、決済処理結果画面を作成し携帯端末に処理結果を通知する携帯端末通知手段と、定まれたロールに従って海外通貨の精算処理を行う海外キャリア精算手段を機能させるプログラムがインストールされているキャリア決済サーバを含むことを特徴とする。
【００１７】
前記パラメータ抽出手段とは、携帯端末からのアクセスに基づいてパラメータデータを抽出する処理で、トークン、発行者情報、処理区分、外貨請求額、加入者情報を抽出する。前記発行者情報には海外からアクセスした取引の場合、定まれたフォーマットデータの発行者である売主サーバが所在する国コードと海外からの決済時、窓口になるキャリアＩＤと、売主のユニークな加盟店ＩＤが特定でき、また前記加入者情報は国番号を付けた携帯端末番号が特定できることを特徴とする。
【００１８】
決済額取得手段とは、為替レート取得モジュールに前記抽出手段で抽出した国コードをパラメータにして呼出し、応答として為替レートを取得し、取得した為替レートを適用して前記抽出手段で抽出した外貨請求額からの決済額を求めることを特徴とする。
【００１９】
前記海外キャリア精算手段において、海外所在の売主である加盟店の精算口座に送金を行う海外キャリアが持っている精算口座に買主が携帯端末を加入したキャリアから送金する処理で、買主が行った海外決済完了情報がある加入者海外決済情報テーブルから海外精算されてないデータを抽出するステップと、前記発行者情報から特定できる海外キャリアＩＤをキーに前記海外提携キャリア情報テーブルを照合し、海外提携キャリアの精算口座番号を取得し、外貨送信モジュールを呼び、キャリア口座から海外提携キャリアの精算口座に送金を行い、送金が正常終了したら、精算した海外決済ＩＤと外貨請求額を前記海外キャリア決済サーバＵＲＬ宛に送信する海外キャリア宛入金通知ステップと、加入者海外決済情報テーブルの海外精算日を更新する加入者海外決済情報更新手段を機能させるプログラムがインストールされているキャリア決済サーバを含むことを特徴とする。
【００２０】
前記海外キャリア精算手段において、前記決済処理時、リアルタイムで実行してもいいし、定まれた時間に一括処理してもよい。
【００２１】
上記の目的を達成するために、海外キャリア決済サーバと海外売主サーバと買主が携帯端末を加入したキャリア決済サーバでは特許文献２の発明の決済システムを備え、クライアント端末からインターネットを介して海外売主サーバと、また携帯端末から携帯網ネットワークを介してキャリア決済サーバと、海外売主サーバと海外キャリア決済サーバとキャリア決済サーバはインターネットを介して通信可能に構成され、携帯端末を用いた海外サイトの決済方法、決済システムにあって、前記海外キャリア決済サーバは、Ｗｅｂサービスを行うＷｅｂサーバとデータベースを備え、前記海外キャリア決済サーバのデータベースは少なくとも海外提携キャリア情報テーブル、加盟店情報テーブル、海外決済入金情報テーブルを備え、キャリア決済サーバからの海外売主サーバＵＲＬを要求するアクセスに基づいてリクエストのヘッダ情報からアクセス元のアドレス情報を取得して、取得した前記アクセス元のアドレス情報をキーに前記海外提携キャリア情報テーブルを照合して海外キャリアＩＤの取得と、パラメータデータから海外決済ＩＤ、加盟店ＩＤ、決済額を抽出する抽出手段と、前記抽出手段により抽出した値と前記海外キャリアＩＤで海外決済入金情報テーブルに新規登録する海外決済入金情報登録手段と、前記加盟店ＩＤをキーに加盟店情報テーブルを照合して加盟店の売主サーバＵＲＬを取得し、取得したＵＲＬをアクセス元に応答するＵＲＬ応答手段と、キャリア決済サーバから海外決済入金情報通知のアクセスに基づいて、受信した海外決済ＩＤと決済額をキーにして海外決済入金情報テーブルを照合し、ヒットしたら、入金日を更新する海外決済入金情報更新手段と、定まれたロールに従って加盟店の精算処理を行う加盟店精算処理手段を機能させるプログラムがインストールされている海外キャリア決済サーバを含むことを特徴とする。
【００２２】
前記加盟店精算処理手段において、加盟店の精算口座に送金を行う処理であって、海外決済入金情報がある海外決済入金情報テーブルから加盟店に対して精算されてないデータを抽出するステップと、抽出したデータから加盟店ＩＤをキーに前記加盟店情報テーブルを照合し、加盟店の精算口座番号を取得し、キャリアの与信処理機能と連携した与信連携インタフェースモジュールを呼び、キャリア口座から加盟店の精算口座に送金を行い、送金が正常終了したら、海外決済入金情報テーブルの加盟店精算日を更新する加盟店精算情報更新手段を機能させるプログラムがインストールされている海外キャリア決済サーバを含むことを特徴とする。
【００２３】
前記加盟店精算手段において、キャリア決済サーバから海外決済入金情報通知があったら、リアルタイムで実行してもいいし、定まれた時間に一括処理してもよい。
【００２４】
前記電話番号は一意的な変換でユーザの匿名性を保つことも良い。
【発明の効果】
【００２５】
本発明の携帯端末を用いた海外サイトの決済方法、決済システムによれば海外所在のオンラインサイトからコンテンツまたは商品を購入して決済の際、クレジットカード番号を入力することなく携帯端末で簡単かつ安全に決済が出来る決済方法及び決済システムを提供する。
【発明を実施するための最良の形態】
【００２６】
本発明の実施の形態を、以下図に基づき説明する。
【００２７】
図１は、携帯端末を用いた海外サイトの決済システムの構成図である。
【００２８】
図１において、海外売主サーバ装置１０と、キャリア決済サーバ装置２０と、クライアント端末３０と、表示装置４０と、携帯電話５０と、海外キャリア決済サーバ６０を含む。
【００２９】
キャリア決済サーバ装置２０は、通信部２１とインターネット９９を介してＷｅｂサービスを行うＷｅｂサーバ２３とデータベース２５を管理するデータベースサーバ２４とを備える。
【００３０】
通信部２１は、インターネット９９と接続し、インターネット９９を介して種々の情報のやりとりを行う。
【００３１】
Ｗｅｂサーバ２３は、パラメータデータ抽出手段２３ａ、海外キャリアＵＲＬ取得手段２３ｂ、決済額取得手段２３ｃ、為替確認画面送信手段２３ｄ、決済処理手段２３ｅ、加入者海外決済情報登録手段２３ｆ、海外売主サーバＵＲＬ取得手段２３ｇ、売主宛通知手段２３ｈ、携帯端末通知手段２３ｉ、海外キャリア精算手段２３ｊ、加入者海外決済情報更新手段２３ｋ、動作プログラム格納部２３lを備える。
【００３２】
データベースサーバ２４は、データベース２５の中に海外提携キャリア情報テーブル２５ａ、加入者海外決済情報テーブル２５ｂを備える。
【００３３】
パラメータデータ抽出手段２３ａとは、携帯端末からのアクセスに基づいてパラメータデータを抽出する処理で、トークン、発行者情報、処理区分、外貨請求額、加入者情報を抽出する。前記発行者情報には海外からアクセスした取引の場合、定まれたフォーマットデータの発行者である売主サーバが所在する国コードと海外からの決済時、窓口になるキャリアＩＤと、売主のユニークな加盟店ＩＤが特定でき、また前記加入者情報は国番号を付けた携帯端末番号が特定できることを特徴とする。
【００３４】
海外キャリアＵＲＬ取得手段２３ｂとは、パラメータデータ抽出手段２３ａの前記発行者情報から海外キャリアＩＤを特定する値をキーに前記海外提携キャリア情報テーブル２５ａを照合して海外キャリア決済サーバＵＲＬを取得する処理である。
【００３５】
決済額取得手段２３ｃとは、外貨請求額と為替レートを適用して決済額を求める処理である。
【００３６】
為替確認画面送信手段２３ｄとは、携帯端末を所持している買主の確認のため、海外決済時、少なくとも外貨請求額と為替レートと決済額の内容が含まれている為替確認画面作成し、アクセス元である携帯電話５０に送信する処理である。
【００３７】
決済処理手段２３ｅとは、キャリアの決済ロールに従って決済を行い、決済が成功したら海外決済ＩＤを発行する。
【００３８】
加入者海外決済情報登録手段２３ｆとは、前記決済処理手段２３ｅが成功したら、発行した海外決済ＩＤをキーに加入者海外決済情報テーブル２５ｂに新規登録する。
【００３９】
海外売主サーバＵＲＬ取得手段２３ｇとは、決済が完了したことを海外に所在している売主サーバ側に通知するため、海外キャリアＵＲＬ取得手段２３ｂで取得したＵＲＬ宛に海外売主サーバＵＲＬを要求して、取得する処理である。
【００４０】
売主宛通知手段２３ｈとは、決済処理手段２３ｅの処理が成功したら、パラメータとしてトークン、電話番号、決済処理情報、配送が必要な取引の場合、配送先情報（加入者氏名、加入者住所）を設定して海外売主サーバＵＲＬ取得手段２３ｇで取得した通知ＵＲＬ宛に送信する処理である。
【００４１】
携帯端末通知手段２３ｉとは、売主宛通知手段２３ｈにより前記海外売主サーバのＵＲＬである前記通知ＵＲＬ宛に送信して、応答として処理結果のステータスを受信したらステータスにあわせ、正常またはエラーの結果をアクセス元である携帯電話５０に通知する処理である。
【００４２】
海外キャリア精算手段２３ｊとは、海外所在の売主である加盟店の精算口座に送金を行う海外キャリアが持っている精算口座に買主が携帯端末を加入したキャリアから送金する処理で、買主が行った海外決済完了情報がある加入者海外決済情報テーブル２５ｂから海外精算されてないデータを抽出するステップと、前記発行者情報から特定できる海外キャリアＩＤをキーに前記海外提携キャリア情報テーブル２５ａを照合し、海外提携キャリアの精算口座番号を取得し、外貨送信モジュールを呼び、キャリア口座から海外提携キャリアの精算口座に送金を行い処理である。
【００４３】
加入者海外決済情報更新手段２３ｋとは、海外キャリア精算手段２３ｊが成功したら、精算した海外決済ＩＤと外貨請求額を前記海外キャリア決済サーバＵＲＬ宛に送信する海外キャリア宛入金通知ステップと、精算した海外決済ＩＤをキーにして加入者海外決済情報テーブル２５ｂの海外精算日を更新する処理である。
【００４４】
動作プログラム格納部２３lは、Ｗｅｂサーバ２３の動作を規定する動作プログラムを格納しているところで、本実施例では、Ｗｅｂサーバ２３は動作プログラム格納部２３ｋからプログラムを起動させ、Ｗｅｂサーバ２３の定めた機能を実現する。
【００４５】
クライアント端末３０は、ユーザが操作するパソコン等の端末であって、周知のウェブブラウザを起動して、インターネット９９を介して種々の情報のやりとりを行う。
【００４６】
表示装置４０は、周知のモニタで２次元コードの画像などを表示する。
【００４７】
携帯電話５０は、ユーザが操作する携帯端末等の端末であって、無線基地局８７と携帯網ネットワーク８８とインターネット９９を介してキャリア決済サーバと種々の情報のやりとりを行う。
【００４８】
携帯電話５０は、クライアント端末３０の表示装置４０に表示された２次元コードを読取る操作により、定まれたフォーマットに関連付けられたＵＲＬに自動アクセスする機能が動作している携帯端末で自動アクセスする際には前記データ部の内容を、送信パラメータに設定し、さらに携帯端末の加入者情報を送信する。
【００４９】
海外キャリア決済サーバ６０は、通信部６１とインターネット９９を介してＷｅｂサービスを行うＷｅｂサーバ６２と業務に必要なデータベース６４を管理するデータベースサーバ６３とを備える。
【００５０】
通信部６１は、インターネット９９と接続し、インターネット９９を介して種々の情報のやりとりを行う。
【００５１】
Ｗｅｂサーバ６２は、パラメータデータ抽出手段６２ａ、海外決済入金情報登録手段６２ｂ、ＵＲＬ応答手段６２ｃ、海外決済入金情報更新手段６２ｄ、加盟店精算処理手段６２ｅ、加盟店精算情報更新手段６２ｆ、動作プログラム格納部６２ｇを備える。
【００５２】
データベースサーバ６３は、データベース６４の中に海外提携キャリア情報テーブル６４ａと、加盟店情報テーブル６４ｂと、海外決済入金情報テーブル６４ｃを備える。
【００５３】
パラメータデータ抽出手段６２ａとは、キャリア決済サーバ２０からの海外売主サーバＵＲＬを要求するアクセスに基づいてリクエストのヘッダ情報からアクセス元のアドレス情報を取得して、取得した前記アクセス元のアドレス情報をキーに前記海外提携キャリア情報テーブル６４ａを照合して海外キャリアＩＤの取得と、パラメータデータから海外決済ＩＤ、加盟店ＩＤ、請求額を抽出する処理である。
【００５４】
海外決済入金情報登録手段６２ｂとは、海外で決済があった場合、海外提携キャリアから入金が必要な情報を登録する処理であって、パラメータデータ抽出手段６２ａで抽出した値に対して海外決済ＩＤをキーにして海外決済入金情報テーブル６４ｃに新規登録する処理である。
【００５５】
ＵＲＬ応答手段６２ｃとは、パラメータデータ抽出手段６２ａで抽出した加盟店ＩＤをキーにして加盟店情報テーブル６４ｂを照合し、加盟店の売主サーバＵＲＬである通知ＵＲＬを取得し、アクセス元であるキャリア決済サーバ２０に取得したＵＲＬを設定して応答する処理である。
【００５６】
海外決済入金情報更新手段６２ｄとは、キャリア決済サーバ２０で海外キャリア精算手段２３ｊの処理が行われることにより、キャリア決済サーバ２０から海外決済ＩＤを決済額が通知されたら、通知された海外決済ＩＤと決済額で海外決済入金情報テーブル６４ｃを照合し、ヒットしたら、入金日を更新する処理である。
【００５７】
加盟店精算処理手段６２ｅとは、加盟店の精算口座に送金を行う処理であって、海外決済入金情報がある海外決済入金情報テーブル６２ｃから加盟店に対して精算されてないデータを抽出するステップと、抽出したデータから加盟店ＩＤをキーに前記加盟店情報テーブル６４ｂを照合し、加盟店の精算口座番号を取得し、キャリアの与信処理機能と連携した与信連携インタフェースモジュールを呼び、キャリア口座から加盟店の精算口座に送金を行い処理である。
【００５８】
加盟店精算情報更新手段６２ｆとは、加盟店精算処理手段６２ｅの処理が成功したら、海外決済入金情報テーブル６２ｃの加盟店精算日にシステム日付を設定して加盟店精算日を更新する処理である。
【００５９】
動作プログラム格納部６２ｇは、Ｗｅｂサーバ６２の動作を規定する動作プログラムを格納しているところで、本実施例では、Ｗｅｂサーバ６２は動作プログラム格納部６２ｃからプログラムを起動させ、Ｗｅｂサーバ６２の定めた機能を実現する。
【００６０】
図２は、図１に示した携帯端末を用いた海外サイトの決済方法および決済システムの動作を説明するシーケンス図である。
【００６１】
図２のシーケンス図の説明にあって、ユーザはクライアント端末でウェブブラウザを起動して海外売主サーバにアクセスし、取引を行い、携帯端末を用いた決済を決定し、決済画面を要求する（ステップS1）、クライアント端末からの決済画面要求により、決済用２次元コードの画像がリンクされた画面をクライアント端末に送信する（ステップS2）、クライアント端末は画面を受信して表示装置に表示し、前記売主サーバに非同期通信の処理結果通知を要求する（ステップS3）、ユーザは表示装置４０に表示された２次元コードを読取る操作を行うと、携帯電話５０は定まれたフォーマットに関連付けられたＵＲＬに自動アクセスする機能が実行され(ステップS4)、キャリア決済サーバのＷｅｂサーバ２３は、パラメータデータ抽出手段２３ａ、海外キャリアＵＲＬ取得手段２３ｂ、決済額取得手段２３ｃ、為替確認画面送信手段２３ｄを順次実行され（ステップS5）、ユーザは携帯電話５０の表示装置に表示された画面から外貨請求額、通貨名称、為替レート、決済額などを確認し、決済を行うか取消すかの選択し、キャリア決済サーバに送信する操作を行い（ステップS６）、ユーザからの確認が決済を行うであれば、決済処理手段２３ｅ、加入者海外決済情報登録手段２３ｆ、海外売主サーバＵＲＬ取得手段２３ｇが順次実行され（ステップ７）、海外キャリア決済サーバ６２では、キャリア決済サーバから海外売主サーバＵＲＬ取得の要求を受け、パラメータデータ抽出手段６２ａ、海外決済入金情報登録手段６２ｂ、ＵＲＬ応答手段６２ｃが順次実行され (ステップS８)、キャリア決済サーバのＷｅｂサーバ２３は、海外キャリア決済サーバ６２から海外売主サーバＵＲＬを取得したら売主宛通知手段２３ｈが実行され（ステップS９）、海外売主サーバは、決済処理が完了になったことをクライアント端末に通知し、キャリア決済サーバに結果通知する処理が実行され（ステップS１０）、クライアント端末は処理結果を受信したら、ユーザが入力操作することなく次画面である取引感謝画面に遷移を要求する処理が実行され（ステップS１１）、海外売主サーバでは、次画面である取引感謝画面をクライアント端末に送信する処理が実行され（ステップS１２）、Ｗｅｂサーバ２３は、海外売主サーバからの処理結果通知により、携帯電話５０に処理結果を知らせる携帯端末通知処理が実行され（ステップS１３）。
【００６２】
図３は、キャリアと携帯端末加入申込みと決済サービス契約の動作を説明するためのフローチャートである。
【００６３】
図３のフローチャート図の説明にあって、S1においては、携帯端末加入申込み者（契約者）はキャリア側に契約者情報（氏名・住所・生年月日等）、お支払い方法の指定とお支払い情報を提出することで携帯端末加入と課金契約の申し込みを行い、キャリア側は申込み者の契約者本人確認を行い、利用者の識別に必要な情報を登録したＩCカードを携帯端末に差し込むことで携帯端末を開通し、キャリアのシステムではユーザＩＤを発行し、利用者を特定する固体識別番号、携帯端末番号、ユーザＩＤをデータベースに管理する。
【００６４】
S２においては、携帯端末加入者が決済サービスを申し込み、S３においては、パスワードを設定し、キャリア側は加入者情報テーブル２５ａに少なくとも固体識別番号、ユーザＩＤ、ユーザ名、携帯端末番号、パスワード、住所の登録処理を行う。
【００６５】
図４は、キャリアと加盟店契約の動作を説明するためのフローチャートである。
【００６６】
図４のフローチャート図の説明にあって、S1においては、加盟店申込み者はキャリア側に加盟店情報などを記入した申込書を提出する。S２においては、キャリア側は審査を行い、定また条件をクリアしないと申込は取消になる。S３においては、契約を締結し、加盟店のシステムを構築する。
【００６７】
図５は、キャリアと海外キャリア間の提携契約の動作を説明するためのフローチャートである。
【００６８】
図５のフローチャート図の説明にあって、S1においては、キャリアと海外キャリア間の提携契約を行う。S２においては、提携キャリア間情報の交換と確認を行う。S３においては、契約を締結し、海外決済提携のシステムを構築する。
【００６９】
図６から図１０のテータベースのテーブルは本発明を説明するためのサンプルである。
図６から図１０のテータベースのテーブルのデータは実データではなく例証としてのデータである。
【００７０】
図１１は、２次元コードのデータファーマットであり、このフォーマットで作成した２次元コードの画像を携帯電話５０で読取操作により、キャリア決済サーバに自動アクセスする。
【００７１】
以上説明した実施例において、構成図のサーバ装置とサーバのソフトウェアは周知の市販のもので本発明の機能を実現するプログラムを作成し、サーバにロードすることによって実現できる。
【００７２】
以上説明した実施例において、図示した構成は単なる一例であって、本発明はその構成に限定されるものではない。
【産業上の利用可能性】
【００７３】
本発明は、オンライン取引の決済、オフライン取引の決済、ポイントサービス、エスクローサービス、小額振替に適用することができる。
【図面の簡単な説明】
【００７４】
【図１】携帯端末を用いた海外サイトの決済システムの構成図である。
【図２】図１に示した携帯端末を用いた海外サイトの決済システムの動作を説明するシーケンス図である。
【図３】キャリアと携帯端末加入申込みと決済サービス契約の動作を説明するためのフローチャートである。
【図４】キャリアと加盟店契約の動作を説明するためのフローチャートである。
【図５】キャリアと海外キャリア間の提携契約の動作を説明するためのフローチャートである。
【図６】海外提携キャリア情報テーブルの構成。
【図７】加入者海外決済情報テーブルの構成。
【図８】海外提携キャリア情報テーブルの構成。
【図９】加盟店情報テーブルの構成。
【図１０】海外決済入金情報テーブルの構成。
【図１１】２次元コード用のデータのファーマット
【符号の説明】
【００７５】
１０        海外売主サーバ装置
２０         キャリア決済サーバ装置
２１         キャリア決済サーバ装置の通信部
２３          キャリア決済サーバのＷｅｂサーバ
２３ａ        パラメータデータ抽出手段
２３ｂ        海外キャリアＵＲＬ取得手段
２３ｃ        決済額取得手段
２３ｄ        為替確認画面送信手段
２３ｅ        決済処理手段
２３ｆ        加入者海外決済情報登録手段
２３ｇ        海外売主サーバＵＲＬ取得手段
２３ｈ        売主宛通知手段
２３ｉ        携帯端末通知手段
２３ｊ        海外キャリア精算手段
２３ｋ        加入者海外決済情報更新手段
２３ｌ         動作プログラム格納部
２４          データベースサーバ
２５          データベース
２５ａ        海外提携キャリア情報テーブル
２５ｂ        加入者海外決済情報テーブル
３０          クライアント端末
４０          表示装置
５０          カメラ付き携帯端末
６０          海外キャリア決済サーバ装置
６１         海外キャリア決済サーバ装置の通信部
６２         海外キャリア決済サーバのＷｅｂサーバ
６２ａ        パラメータデータ抽出手段
６２ｂ        海外決済入金情報登録手段
６２ｃ        ＵＲＬ応答手段
６２ｄ         海外決済入金情報更新手段
６２ｅ        加盟店精算処理手段
６２ｆ        加盟店精算情報更新手段
６２ｇ         動作プログラム格納部
６３          データベースサーバ
６４          データベース
６４ａ        海外提携キャリア情報テーブル
６４ｂ        加盟店情報テーブル
６４ｃ        海外決済入金情報テーブル
８７          無線基地局
８８          携帯網ネットワーク
９９          インターネット回線
【図１】
2011145727.tif 000003
【図２】
2011145727.tif 000004
【図３】
2011145727.tif 000005
【図４】
2011145727.tif 000006
【図５】
2011145727.tif 000007
【図６】
2011145727.tif 000008
【図７】
2011145727.tif 000009
【図８】
2011145727.tif 000010
【図９】
2011145727.tif 000011
【図１０】
2011145727.tif 000012
【図１１】
2011145727.tif 000013